(57)【特許請求の範囲】
【請求項１】
有線接続部を備えた本体と、
前記本体に備えられ各部に電源を供給する電源部と、
前記有線接続部と接続することで前記本体に着脱可能に接続する表示器と、
前記有線接続部と接続した前記表示器と前記本体との間の通信を有線で行う有線通信手段と、
前記表示器と前記本体との間の通信を無線で行う無線通信手段と、
前記表示器と前記本体との間の有線の接続の有無を検知する接続検知手段と、
前記接続検知手段により前記有線の接続が有ることが検知された場合には前記有線通信手段による通信に切り替え、前記接続検知手段により前記有線の接続が無いことが検知された場合には前記無線通信手段による通信に切り替える切替手段と、
前記接続検知手段が有線の接続が無いことを検知した場合、前記電源部から前記有線接続部への電源の供給を停止し、前記接続検知手段が有線の接続が有ることを検知した場合、前記電源部から前記有線接続部への電源の供給をする電源制御手段と、
を備えることを特徴とする販売データ処理装置。
【請求項２】
前記表示器は、ユーザの操作を受け付けるタッチパネルを更に備え、
前記有線通信手段及び前記無線通信手段は、前記表示器において表示する情報にかかる通信と、前記タッチパネルにより受け付けられた操作にかかる通信とを行うこと、
を特徴とする請求項１に記載の販売データ処理装置。
【請求項３】
前記切替手段による通信の切り替えに応じて、前記表示器への表示の切り替えを行う制御手段を更に備えること、
を特徴とする請求項１または２に記載の販売データ処理装置。
【請求項４】
前記表示器は、店員への情報を表示する店員用表示器及び客への情報を表示する客用表示器の少なくとも一方であること、
を特徴とする請求項１乃至３のいずれか一項に記載の販売データ処理装置。
【請求項５】
前記表示器は、
前記本体から供給される電源の有無を検知する電源検知手段と、
前記電源検知手段により前記本体から供給される電源が無くなったことが検知された場合に、前記本体から独立して電源供給を行う電源手段とを更に備えること、
を特徴とする請求項１乃至４のいずれか一項に記載の販売データ処理装置。
【発明の詳細な説明】
【技術分野】
【０００１】
本発明の実施形態は、販売データ処理装置に関する。
【背景技術】
【０００２】
従来、レストラン、スーパーマーケット等の店舗では、会計処理を行う商品登録をＰＯＳ（Point  Of  Sale）端末などの販売データ処理装置で行っている。この販売データ処理装置には、登録した商品などの情報を表示する表示器を本体と分離して用いるものがある。
【発明の概要】
【発明が解決しようとする課題】
【０００３】
しかしながら、上述した従来の販売データ処理装置では、有線又は無線のいずれか一方で本体と表示器とが接続されているため、業務形態に応じて有線又は無線の特徴を生かした表示器の配置を行うことができなかった。例えば、有線で接続している場合には、帯域等の制約がないことから高精細な映像を表示できる。また、無線で接続している場合には、配線が不要となるためレイアウトが自在となる。したがって、高精細な映像を表示器で表示させたい場合には有線に切り替えて使用し、表示器のレイアウトを自在としたい場合には無線に切り替えて使用するなど、業務形態に応じて有線と無線とを切り替えて用いたいという要望があった。
【課題を解決するための手段】
【０００４】
上述した課題を解決するために、実施形態のデータ処理装置は、有線接続部を備えた本体と、前記本体に備えられ各部に電源を供給する電源部と、前記有線接続部と接続することで前記本体に着脱可能に接続する表示器と、前記有線接続部と接続した前記表示器と前記本体との間の通信を有線で行う有線通信手段と、前記表示器と前記本体との間の通信を無線で行う無線通信手段と、前記表示器と前記本体との間の有線の接続の有無を検知する接続検知手段と、前記接続検知手段により前記有線の接続が有ることが検知された場合には前記有線通信手段による通信に切り替え、前記接続検知手段により前記有線の接続が無いことが検知された場合には前記無線通信手段による通信に切り替える切替手段と、前記接続検知手段が有線の接続が無いことを検知した場合、前記電源部から前記有線接続部への電源の供給を停止し、前記接続検知手段が有線の接続が有ることを検知した場合、前記電源部から前記有線接続部への電源の供給をする電源制御手段と、を備えることを特徴とする。
【図面の簡単な説明】
【０００５】
【図１】図１は、実施形態にかかる販売データ処理装置の概略を説明する概念図である。
【図２】図２は、実施形態にかかる販売データ処理装置の構成を示すブロック図である。
【発明を実施するための形態】
【０００６】
以下に添付図面を参照して、実施形態にかかる販売データ処理装置の詳細を説明する。
【０００７】
図１は、実施形態にかかる販売データ処理装置１の概略を説明する概念図である。図１に示すように、販売データ処理装置１は、いわゆるＰＯＳ端末であり、現金等を収容するためのドロワ１２の上に載置されており、このドロワ１２の引出し１２ａの開閉を制御する。販売データ処理装置１の正面側には、登録、点検、精算、設定などの各種業務モードを選択するためのモードキー１４が設けられている。また、販売データ処理装置１の正面に設けられたキーボード１３には、オペレータ（店員）が、例えば預かり金額などを置数するための置数キーや、１商取引として販売登録が行われた商品の合計出力を指示する現計キーなど、各種操作入力を行うための操作キーが配置されている。また、キーボード１３に近接する位置には、会員カードやクレジットカード等の磁気カード２に記憶された各種磁気情報を読み取るカードリーダ１１が設けられている。
【０００８】
販売データ処理装置１には、商品などに付与されたバーコードを読取るためのスキャナ１９が接続されている。また、販売データ処理装置１には、正面側には店員に向けて情報を表示する店員用表示器３が、背面側には客に向けて情報を表示する客用表示器４が取り付けられている。店員用表示器３及び客用表示器４では、販売登録された商品の品名、価格や、販売登録の終了が宣言された１商取引の合計金額、釣銭額などの情報をＬＣＤ（Liquid  Crystal  Display）等のディスプレイ１５、１６に表示する。ディスプレイ１５、１６の表面にはタッチパネル２５、２６が設けられており、タッチ入力が可能となっている。
【０００９】
また、店員用表示器３及び客用表示器４は、有線による通信や電源供給を行う接続端子等を有するドック（いずれも図示しない）に載置することで、販売データ処理装置１の本体と着脱可能に接続している。具体的には、ドックに載置された場合、販売データ処理装置１の本体にある接続端子等である有線接続部３７１（図２参照）と、店員用表示器３及び客用表示器４の接続端子等である有線接続部４０１（図２参照）とが接続することで、表示やタッチ操作にかかる通信や、本体側からの電源供給などが有線で行われる。
【００１０】
また、店員用表示器３及び客用表示器４は、販売データ処理装置１の本体から取り外した際には、台座５に載置して使用される。この場合、店員用表示器３及び客用表示器４は、内蔵している電源部４４（図２参照）からの電源供給で駆動する。具体的には、店員用表示器３及び客用表示器４は、本体側からの電源供給等で充電される二次電池（図示しない）や、ＡＣアダプタ６を介して接続する商用電源７からの電力を電源部４４が各部に分配して駆動する。
【００１１】
また、販売データ処理装置１は、レシート、ジャーナルやクーポン券等を印字するプリンタ１７を内蔵している。プリンタ１７によって印字されたレシートやジャーナルは販売データ処理装置１の正面側に形成されたレシート発行口１８から発行される。
【００１２】
図２は、実施形態にかかる販売データ処理装置１の構成を示すブロック図である。図２に示すように、販売データ処理装置１は、図１に例示した構成の他、制御部３０、ドロワ制御回路３１、プリンタ制御回路３２、スキャナ制御回路３３、カードリーダ制御回路３４、キーボード制御回路３５、切替回路３６、通信部３７、検知回路３８、電源部３９を備える。なお、以下の説明では、店員用表示器３及び客用表示器４を一つ構成で示しているが、店員用表示器３及び客用表示器４は互いに独立した構成である。すなわち、販売データ処理装置１の本体側と、店員用表示器３及び客用表示器４との間における通信は互いに独立して行われている。
【００１３】
制御部３０は、ＣＰＵ３０１（Central  Processing  Unit）、ＲＯＭ３０２（Read  Only  Memory）、ＲＡＭ３０３（Random  Access  Memory）を備え、販売データ処理装置１の動作を中央制御する。具体的には、ＣＰＵ３０１がＲＯＭ３０２に記憶されたプログラムをＲＡＭ３０３の作業領域に展開して順次実行することで、各部を制御する制御信号を出力する。
【００１４】
ドロワ制御回路３１は、制御部３０の制御の下、ドロワ１２における引出し１２ａの開閉を制御する。プリンタ制御回路３２は、制御部３０の制御の下、プリンタ１７におけるレシート、ジャーナルやクーポン券等の印字を制御する。スキャナ制御回路３３は、スキャナ１９の読み取りを制御し、スキャナ１９で読み取ったバーコードを制御部３０へ出力する。カードリーダ制御回路３４は、カードリーダ１１の読み取りを制御し、カードリーダ１１により磁気カード２から読み取った磁気情報を制御部３０へ出力する。キーボード制御回路３５は、キーボード１３で受け付けたユーザの操作を制御部３０へ出力する。
【００１５】
切替回路３６は、制御部３０の制御の下で駆動する切替スイッチなどであり、通信部３７における有線での通信と、無線での通信とを切り替える。通信部３７は、制御部３０の制御の下、店員用表示器３や客用表示器４との間のデータ通信を行う。具体的には、通信部３７は、店員用表示器３や客用表示器４との間の通信を有線で行う有線接続部３７１と、店員用表示器３や客用表示器４との間の通信を無線で行う無線通信部３７２とを備える。
【００１６】
有線接続部３７１は、店員用表示器３や客用表示器４が前述したドックに設置された際に接続する接続端子、及びその接続端子と制御部３０とを導通する信号線等であり、制御部３０からのデータや電源部３９から供給される電源を有線で伝送する。無線通信部３７２は、制御部３０の制御の下、所定の通信プロトコルに従って所定の周波数で通信部４０の無線通信部４０２との間の無線通信を行う。例えば、店員用表示器３や客用表示器４で表示を行う表示データについては、ＨＤＭＩ（High-Definition  Multimedia  Interface）等の規格で通信が行われる。また、店員用表示器３や客用表示器４でのタッチ操作についてはＵＳＢ（Universal  Serial  Bus）等の規格で通信が行われる。なお、無線通信部３７２、４０２との間の無線通信については、表示データは無線ＨＤＭＩ等の規格で、タッチ操作は無線ＵＳＢ等の規格で通信が行われる。
【００１７】
検知回路３８は、販売データ処理装置１の本体と、店員用表示器３や客用表示器４との間の有線の接続の有無を検知する。具体的には、有線接続部３７１と有線接続部４０１とが接続することで形成される回路の断線を検知することで、有線の導通の有無を検知する。電源部３９は、制御部３０の制御の下、販売データ処理装置１の各部への電源供給を行う電源回路である。
【００１８】
なお、電源部３９は、本体と、店員用表示器３や客用表示器４との間の有線の接続が無いことが検知回路３８により検知された場合、有線接続部３７１への電源供給を停止する。また、電源部３９は、本体と、店員用表示器３や客用表示器４との間の有線の接続が有ることが検知回路３８により検知された場合、有線接続部３７１への電源供給を開始する。これにより、販売データ処理装置１では、店員用表示器３や客用表示器４が有線で接続されている場合にのみ、有線接続部３７１への電源供給が行われることとなる。
【００１９】
店員用表示器３及び客用表示器４は、図１に例示した構成の他、通信部４０、ディスプレイ表示回路４１、タッチパネル制御回路４２、検知回路４３、電源部４４を備える。
【００２０】
通信部４０は、本体側との間で表示やタッチ操作にかかるデータ通信を行う。具体的には、通信部４０は、販売データ処理装置１の本体側との通信を有線で行う有線接続部４０１と、本体側との通信を無線で行う無線通信部４０２とを備える。有線接続部４０１は、有線接続部３７１と同様、ドックに設置された際に接続する接続端子等であり、販売データ処理装置１の本体側から有線で伝送されるデータや電源を受け付ける。無線通信部４０２は、無線通信部３７２と同様、所定の通信プロトコルに従って所定の周波数で、販売データ処理装置１の本体との間の無線通信を行う。
【００２１】
ディスプレイ表示回路４１は、通信部４０により販売データ処理装置１の本体側より伝送された表示データをもとに、ディスプレイ１５、１６の表示を行う。タッチパネル制御回路４２は、タッチパネル２５、２６のタッチ操作に応じた操作信号を通信部４０へ出力する。通信部４０に出力された操作信号は有線又は無線により販売データ処理装置１の本体側へ伝送される。
【００２２】
検知回路４３は、有線接続部３７１、４０１を介して販売データ処理装置１の本体から供給される電源の有無を検知する。電源部４４は、店員用表示器３及び客用表示器４の各部への電源供給を行う電源回路である。電源部４４は、有線接続部４０１より本体側から供給される電源を各部へ分配する回路の他、本体側から供給される電源が無くなった場合に独立して電源を供給するための二次電池や、ＡＣアダプタ６と接続する電源端子などを備える。電源部４４は、検知回路４３の検知結果をもとに、販売データ処理装置１の本体から電源の供給が無くなった場合は、二次電池や電源端子に接続するＡＣアダプタ６から供給される電源を各部へ分配する。これにより、店員用表示器３及び客用表示器４は、販売データ処理装置１の本体側との有線による接続が切れる場合であっても、独立して駆動することが可能である。
【００２３】
制御部３０は、検知回路３８の検知結果に応じて、販売データ処理装置１の本体と、店員用表示器３や客用表示器４との間の有線の接続が有る場合、販売データ処理装置１の本体と、店員用表示器３や客用表示器４との間の通信を、切替回路３６により有線接続部３７１を介して有線で行うように切り替える。また、制御部３０は、検知回路３８の検知結果に応じて、販売データ処理装置１の本体と、店員用表示器３や客用表示器４との間の有線の接続が無い場合、販売データ処理装置１の本体と、店員用表示器３や客用表示器４との間の通信を、切替回路３６により無線通信部３７２を介して無線で行うように切り替える。したがって、販売データ処理装置１では、本体側と店員用表示器３や客用表示器４との通信を有線又は無線で切り替えて行うことが可能であり、業務形態に応じて有線と無線とを切り替えて用いることができる。例えば客用表示器４を本体から外して運用する場合には、本体と客用表示器４との間の通信が無線に切り替えられることから、そのレイアウトが自在となる。
【００２４】
また、制御部３０は、検知回路３８の検知結果に応じて、販売データ処理装置１の本体と、店員用表示器３や客用表示器４との間の有線の接続の有無で店員用表示器３や客用表示器４における表示を切り替えてもよい。具体的には、販売データ処理装置１の本体と、店員用表示器３や客用表示器４との間の有線の接続が有る場合は、店員用表示器３や客用表示器４には販売登録された商品の品名、価格や、販売登録の終了が宣言された１商取引の合計金額、釣銭額などの会計処理に関する情報を表示する。そして、販売データ処理装置１の本体と、店員用表示器３や客用表示器４との間の有線の接続が無い場合は、ＲＯＭ３０２などに予め設定されたコマーシャル画面等の販売促進にかかる情報を有線で接続されていない側の表示器に表示する。このように、販売データ処理装置１の本体と、店員用表示器３や客用表示器４との間の有線の接続の有無で店員用表示器３や客用表示器４における表示を切り替えることで、例えば客用表示器４を本体から分離して客の目につきやすい位置に設置する場合には、販売促進にかかる情報を客に提供するなどの運用を行うことができる。
【００２５】
なお、本実施形態では店員用表示器３及び客用表示器４が取り外し可能な構成を例示したが、店員用表示器３及び客用表示器４の少なくとも一方が取り外し可能であればよく、取り外し可能なレイアウトは実施形態に限定しない。
【符号の説明】
【００２６】
１…販売データ処理装置、２…磁気カード、３…店員用表示器、４…客用表示器、５…台座、６…ＡＣアダプタ、７…商用電源、１１…カードリーダ、１２…ドロワ、１２ａ…引出し、１３…キーボード、１４…モードキー、１５…ディスプレイ、１６…ディスプレイ、１７…プリンタ、１８…レシート発行口、１９…スキャナ、２５…タッチパネル、２６…タッチパネル、３０…制御部、３１…ドロワ制御回路、３２…プリンタ制御回路、３３…スキャナ制御回路、３４…カードリーダ制御回路、３５…キーボード制御回路、３６…切替回路、３７…通信部、３８…検知回路、３９…電源部、４０…通信部、４１…ディスプレイ表示回路、４２…タッチパネル制御回路、４３…検知回路、４４…電源部、３０１…ＣＰＵ、３０２…ＲＯＭ、３０３…ＲＡＭ、３７１…有線接続部、３７２…無線通信部、４０１…有線接続部、４０２…無線通信部
【先行技術文献】
【特許文献】
【００２７】
【特許文献１】特開２００４−３１０２４６公報
【図１】
0005372903.tif 000002
【図２】
0005372903.tif 000003